(57)【要約】【課題】食材トレーに収容された複数種類の食材の臭い及び香りが混合してしまうのを防止することができる蓋部材を提供する。【解決手段】食材を収容する複数の収容凹部（ａ〜ｆ）が形成された食材トレー６の上部を塞ぐための蓋部材１において、食材トレー６の上部を塞いだ状態で収容凹部（ａ〜ｆ）の周縁部に沿って密着可能なリブ３を具備し、当該リブ３が周縁部に密着することにより収容凹部（ａ〜ｆ）をそれぞれ画成及び密閉可能とされたものである。【選択図】図２
2019104544.tif 000002
【特許請求の範囲】
【請求項１】
食材を収容する複数の収容凹部が形成された食材トレーの上部を塞ぐための蓋部材において、
前記食材トレーの上部を塞いだ状態で前記収容凹部の周縁部に沿って密着可能な密着部を具備し、当該密着部が前記周縁部に密着することにより前記収容凹部をそれぞれ画成可能とされたことを特徴とする蓋部材。
【請求項２】
前記収容凹部のそれぞれの形状に倣った天面を有するとともに、前記密着部は、当該天面の外周縁に沿って突出したリブから成ることを特徴とする請求項１記載の蓋部材。
【請求項３】
前記リブは、前記収容凹部の内周壁に沿って当接し得ることを特徴とする請求項１又は請求項２記載の蓋部材。
【請求項４】
前記密着部は、前記収容凹部の周縁部の高さに応じて突出して成ることを特徴とする請求項１〜３の何れか１つに記載の蓋部材。
【請求項５】
前記食材トレーを複数積み重ねた状態で当該食材トレーに形成された被係止部に対して係止可能な係止部を有することを特徴とする請求項１〜４の何れか１つに記載の蓋部材。
【請求項６】
前記食材トレーの上部を塞いだ状態で前記収容凹部のそれぞれに対応する位置には、当該収容凹部内で生じた蒸気を外部に排出可能な排気孔が形成されたことを特徴とする請求項１〜５の何れか１つに記載の蓋部材。
【請求項７】
前記排気孔を閉止するともに任意に取り外して当該排気孔を開放可能な封止部材を有することを特徴とする請求項６記載の蓋部材。
【請求項８】
前記封止部材は、複数の前記排気孔に亘って取り付けられ、それぞれの前記排気孔を閉止するとともに、任意に取り外されることにより一括して複数の前記排気孔を開放可能とされたことを特徴とする請求項７記載の蓋部材。
【請求項９】
前記密着部が一体成形された樹脂材から成ることを特徴とする請求項１〜８の何れか１つに記載の蓋部材。
【請求項１０】
前記樹脂材は、シリコン樹脂から成ることを特徴とする請求項９記載の蓋部材。
【請求項１１】
前記樹脂材は、使い捨て可能な樹脂から成ることを特徴とする請求項９記載の蓋部材。
【請求項１２】
前記収容凹部の周縁部の高さに応じて変形し、前記密着部を当該周縁部に密着させ得ることを特徴とする請求項１〜１１の何れか１つに記載の蓋部材。
【請求項１３】
可撓性樹脂又はフィルム状に成形された樹脂から成ることを特徴とする請求項１２記載の蓋部材。
【発明の詳細な説明】
【技術分野】
【０００１】
本発明は、食材を収容する複数の収容凹部が形成された食材トレーの上部を塞ぐための蓋部材に関するものである。
【背景技術】
【０００２】
近年、調理済みの複数種類の食材を食材トレーに収容し、予め契約した家庭に届ける所謂宅食弁当と称されるサービスが普及しつつある。かかる宅食弁当で用いられる食材トレーは、通常、食材を収容し得る複数の収容凹部が形成されており、それぞれの収容凹部に対して種類毎の食材を収容して運搬時に混合しないようになっている。また、食材トレーの上部は、蓋部材により塞がれており、容易に保管及び運搬し得るようになっている。なお、かかる先行技術は、文献公知発明に係るものでないため、記載すべき先行技術文献情報はない。
【発明の概要】
【発明が解決しようとする課題】
【０００３】
しかしながら、上記従来技術においては、食材トレーの複数の収容凹部に対して調理済みの食材が種類毎に収容されて蓋部材にて閉じられているので、特定の収容凹部に収容された食材の匂いや香りが、例えば電子レンジ等で加熱することによって、他の収容凹部に至ってしまい、複数種類の食材の臭いや香りが混合してしまうという問題があった。すなわち、食材トレーの上部を蓋部材で塞いだ状態において、複数の収容凹部の上部は連通した状態となって一体空間が形成されているので、複数種類の食材の匂い及び香りが混合して、個々の食材の匂いや香りが損なわれてしまうのである。
【０００４】
本発明は、このような事情に鑑みてなされたもので、食材トレーに収容された複数種類の食材の臭い及び香りが混合してしまうのを防止することができる蓋部材を提供することにある。
【課題を解決するための手段】
【０００５】
請求項１記載の発明は、食材を収容する複数の収容凹部が形成された食材トレーの上部を塞ぐための蓋部材において、前記食材トレーの上部を塞いだ状態で前記収容凹部の周縁部に沿って密着可能な密着部を具備し、当該密着部が前記周縁部に密着することにより前記収容凹部をそれぞれ画成可能とされたことを特徴とする。
【０００６】
請求項２記載の発明は、請求項１記載の蓋部材において、前記収容凹部のそれぞれの形状に倣った天面を有するとともに、前記密着部は、当該天面の外周縁に沿って突出したリブから成ることを特徴とする。
【０００７】
請求項３記載の発明は、請求項１又は請求項２記載の蓋部材において、前記リブは、前記収容凹部の内周壁に沿って当接し得ることを特徴とする。
【０００８】
請求項４記載の発明は、請求項１〜３の何れか１つに記載の蓋部材において、前記密着部は、前記収容凹部の周縁部の高さに応じて突出して成ることを特徴とする。
【０００９】
請求項５記載の発明は、請求項１〜４の何れか１つに記載の蓋部材において、前記食材トレーを複数積み重ねた状態で当該食材トレーに形成された被係止部に対して係止可能な係止部を有することを特徴とする。
【００１０】
請求項６記載の発明は、請求項１〜５の何れか１つに記載の蓋部材において、前記食材トレーの上部を塞いだ状態で前記収容凹部のそれぞれに対応する位置には、当該収容凹部内で生じた蒸気を外部に排出可能な排気孔が形成されたことを特徴とする。
【００１１】
請求項７記載の発明は、請求項６記載の蓋部材において、前記排気孔を閉止するともに任意に取り外して当該排気孔を開放可能な封止部材を有することを特徴とする。
【００１２】
請求項８記載の発明は、請求項７記載の蓋部材において、前記封止部材は、複数の前記排気孔に亘って取り付けられ、それぞれの前記排気孔を閉止するとともに、任意に取り外されることにより一括して複数の前記排気孔を開放可能とされたことを特徴とする。
【００１３】
請求項９記載の発明は、請求項１〜８の何れか１つに記載の蓋部材において、前記密着部が一体成形された樹脂材から成ることを特徴とする。
【００１４】
請求項１０記載の発明は、請求項９記載の蓋部材において、前記樹脂材は、シリコン樹脂から成ることを特徴とする。
【００１５】
請求項１１記載の発明は、請求項９記載の蓋部材において、前記樹脂材は、使い捨て可能な樹脂から成ることを特徴とする。
【００１６】
請求項１２記載の発明は、請求項１〜１１の何れか１つに記載の蓋部材において、前記収容凹部の周縁部の高さに応じて変形し、前記密着部を当該周縁部に密着させ得ることを特徴とする。
【００１７】
請求項１３記載の発明は、請求項１２記載の蓋部材において、可撓性樹脂又はフィルム状に成形された樹脂から成ることを特徴とする。
【発明の効果】
【００１８】
請求項１の発明によれば、食材トレーの上部を塞いだ状態で収容凹部の周縁部に沿って密着可能な密着部を具備し、当該密着部が周縁部に密着することにより収容凹部をそれぞれ画成可能とされたので、食材トレーに収容された複数種類の食材の臭い及び香りが混合してしまうのを防止することができる。
【００１９】
請求項２の発明によれば、収容凹部のそれぞれの形状に倣った天面を有するとともに、密着部は、当該天面の外周縁に沿って突出したリブから成るので、収容凹部の密閉性をより向上させることができ、食材トレーに収容された複数種類の食材の臭い及び香りが混合してしまうのを確実に防止することができる。
【００２０】
請求項３の発明によれば、リブは、収容凹部の内周壁に沿って当接し得るので、収容凹部の画成をより安定して行わせることができる。
【００２１】
請求項４の発明によれば、密着部は、収容凹部の周縁部の高さに応じて突出して成るので、収容凹部の周縁部の高さが異なる食材トレーであっても良好且つ確実に収容凹部の密閉を行わせることができる。
【００２２】
請求項５の発明によれば、食材トレーを複数積み重ねた状態で当該食材トレーに形成された被係止部に対して係止可能な係止部を有するので、複数積み重ねた食材トレーが横ずれしてしまうのを抑制でき、保管時又は搬送時に安定して段積みさせることができる。
【００２３】
請求項６の発明によれば、食材トレーの上部を塞いだ状態で収容凹部のそれぞれに対応する位置には、当該収容凹部内で生じた蒸気を外部に排出可能な排気孔が形成されたので、収容凹部に収容された食材を加熱する際に食材から生じる蒸気を排気孔を介して外部に排出させることで、収容凹部内の圧力が過度に上昇してしまうのを回避することができる。
【００２４】
請求項７の発明によれば、排気孔を閉止するともに任意に取り外して当該排気孔を開放可能な封止部材を有するので、食材の加熱前は排気孔を閉止して外部に漏れてしまうのを確実に防止するとともに、食材の加熱時は排気孔を開放して収容凹部内の蒸気を円滑に排出させることができる。
【００２５】
請求項８の発明によれば、封止部材は、複数の排気孔に亘って取り付けられ、それぞれの排気孔を閉止するとともに、任意に取り外されることにより一括して複数の排気孔を開放可能とされたので、食材の加熱時における排気孔の開放作業を容易に行わせることができる。
【００２６】
請求項９の発明によれば、密着部が一体成形された樹脂材から成るので、繰り返しの使用により食材トレーが僅かに変形等しても、密着部による密着を良好且つ確実に行わせることができ、収容凹部の密閉性を安定して保持することができる。
【００２７】
請求項１０の発明によれば、樹脂材は、シリコン樹脂から成るので、蓋部材の成形を精度よく且つ良好に行わせることができるとともに、食材トレーの蓋部材としての安全性を維持することができる。
【００２８】
請求項１１の発明によれば、樹脂材は、使い捨て可能な樹脂から成るので、収容凹部の食材を食べた後、蓋部材をそのまま廃棄することができる。
【００２９】
請求項１２の発明によれば、収容凹部の周縁部の高さに応じて変形し、密着部を当該周縁部に密着させ得るので、製造時の誤差や使用時の変形等が生じていても、収容凹部の周縁部と蓋部材の密着部とを確実に密着させることができる。
【００３０】
請求項１３の発明によれば、可撓性樹脂又はフィルム状に成形された樹脂から成るので、収容凹部の周縁部の高さに応じて柔軟に変形でき、収容凹部の周縁部に密着部を確実に密着させて当該収容凹部を確実に画成することができる。
【図面の簡単な説明】
【００３１】
【図１】本発明の第１の実施形態に係る蓋部材を示す平面図、側面図及び裏面図
【図２】同蓋部材の内側を示す斜視図
【図３】同蓋部材の外側を示す斜視図
【図４】同蓋部材に適用される食材トレーを示す平面図、側面図及び裏面図
【図５】同蓋部材にて食材トレーの上部を塞いだ状態を示す平面図及び側面図
【図６】図５におけるＶＩ−ＶＩ線断面図
【図７】図５におけるＶＩＩ−ＶＩＩ線断面図
【図８】同蓋部材で上部が塞がれた食材トレーを複数積み重ねた状態を示す側面図
【図９】同蓋部材に形成された係止部が食材トレーに形成された被係止部に係止した状態を示す模式図
【図１０】本発明の第２の実施形態に係る蓋部材が食材トレーの上部を塞いだ状態を示す側面図及び平面図
【図１１】同蓋部材を示す平面図、側面図及び裏面図
【図１２】同蓋部材に適用される食材トレーを示す平面図
【図１３】同蓋部材で食材トレーの上部を塞いだ状態における外周縁の密着状態を示す断面図
【図１４】同蓋部材で食材トレーの上部を塞いだ状態における密着部の密着状態を示す断面図
【図１５】同蓋部材が食材トレーの上部を塞いだ状態であって、封止部材を取り外した状態を示す側面図及び平面図
【図１６】同蓋部材で食材トレーの上部を塞いだ状態における他の形態の密着部（天面が略平面状）の密着状態を示す断面図
【図１７】同蓋部材で食材トレーの上部を塞いだ状態における他の形態の密着部（リブが形成）の密着状態を示す断面図
【図１８】同蓋部材で食材トレーの上部を塞いだ状態における他の形態の密着部（収容凹部の周縁部の高さに応じて変形）の密着状態を示す断面図
【発明を実施するための形態】
【００３２】
以下、本発明の実施形態について図面を参照しながら具体的に説明する。
第１の実施形態に係る蓋部材１は、食材を収容する複数の収容凹部が形成された食材トレーの上部を塞ぐためのもので、図１〜３に示すように、食材トレー６（図４参照）の収容凹部（ａ〜ｆ）に対応した位置の天面（２ａ〜２ｆ）と、天面（２ａ〜２ｆ）の外周輪郭形状に沿って形成されたリブ３（密着部）と、蓋部材１の外周縁に沿って形成された外周シール部４と、蓋部材１の裏面に形成された係止部５とを有して構成されている。
【００３３】
本実施形態に適用される食材トレー６は、図４に示すように、複数の収容凹部（ａ〜ｆ）が形成された樹脂成形品から成るもので、それぞれの収容凹部（ａ〜ｆ）には、調理済みの食材（常温状態、冷蔵状態又は冷凍状態の調理済み食材（総菜等））が種類毎に分けられて収容可能とされている。それぞれの収容凹部（ａ〜ｆ）は、上方に開放されて任意の食材を収容可能な凹形状から成り、平面視で互いに異なる形状及び容量とされている。なお、収容凹部（ａ〜ｆ）は、何れか或いは全てが同一形状及び容量であってもよい。
【００３４】
食材トレー６における収容凹部（ａ〜ｆ）が形成されない部位は、面β及び面β’とされている。特に、収容凹部ｅと収容凹部ｆとの間には、これらを画成する壁部６ａが形成されており、図７で示すように、この壁部６ａの突端が面β’とされて、他の面βより寸法ｔだけ低い位置とされている。なお、壁部６ａがなく面βのみ有するものであってもよく、或いは壁部６ａの面β’が他の周縁部βより高い位置とされたものであってもよい。
【００３５】
本実施形態に係る蓋部材１は、食材トレー６の上部を塞いだ状態で収容凹部（ａ〜ｆ）の周縁部に沿って密着可能なリブ３（密着部）を具備し、当該リブ３が周縁部に密着することにより収容凹部（ａ〜ｆ）をそれぞれ画成（本実施形態においては密閉）可能とされている。具体的には、蓋部材１は、収容凹部（ａ〜ｆ）のそれぞれの形状に倣った天面（２ａ〜２ｆ）を有するとともに、密着部としてのリブ３は、当該天面（２ａ〜２ｆ）の外周縁に沿って突出した部位から成り、図５に示すように、蓋部材１が食材トレー６の上部を塞いだ状態において、リブ３が収容凹部（ａ〜ｆ）のそれぞれの周縁部全域に亘って密着し得るようになっている。
【００３６】
すなわち、食材トレー６の上部を蓋部材１にて覆って閉じると、収容凹部ａと天面２ａ、収容凹部ｂと天面２ｂ、収容凹部ｃと天面２ｃ、収容凹部ｄと天面２ｄ、収容凹部ｅと天面２ｅ及び収容凹部ｆと天面２ｆとが対向するとともに、リブ３が収容凹部（ａ〜ｆ）の周縁部にそれぞれ密着して、収容凹部（ａ〜ｆ）を画成（区分け）しつつ密閉状態とし得るのである。しかして、蓋部材１にて食材トレー６の上部が塞がれた状態において、収容凹部（ａ〜ｆ）と対向する天面（２ａ〜２ｆ）との間に、それぞれ種類が異なる食材が収容されることとなる。
【００３７】
また、本実施形態に係るリブ３は、収容凹部（ａ〜ｆ）の周縁部に密着した状態で当該収容凹部（ａ〜ｆ）の内周壁に沿って当接し得るようになっている。すなわち、リブ３は、面αと天面（２ａ〜２ｆ）との境界部に沿って蓋部材１と一体形成されており、蓋部材１が食材トレー６の上部を塞いだ状態において、それぞれの収容凹部（ａ〜ｆ）内に嵌入し、内周壁に沿ってそれぞれ当接するようになっている。
【００３８】
さらに、本実施形態に係るリブ３は、収容凹部（ａ〜ｆ）の周縁部の高さに応じて突出して成るものとされている。具体的には、本実施形態に適用される食材トレー６は、壁部６ａが形成された位置の周縁部β’が他の位置の周縁部βとは異なる高さとされており、その壁部６ａに対応するリブ３は、当該壁部６ａの高さに応じた突出高さ（他より突出寸法が大きい）とされて密着可能とされているのである。これにより、収容凹部ｅと収容凹部ｆとの画成を確実に行うことができる。
【００３９】
またさらに、本実施形態に係る蓋部材１は、その外周縁に沿って外周シール部４が一体形成されており、食材トレー６の上部を塞いだ状態において、食材トレー６の外周縁をシールし得るようになっている。これにより、蓋部材１を食材トレー６の上部に取り付けると、リブ３による収容凹部（ａ〜ｆ）の密閉（画成による密閉）に加えて、食材トレー６の外周縁のシールを行って全体を密閉状態とすることができる。
【００４０】
一方、食材トレー６の裏面には、図４に示すように、被係止部７が一体形成されており、蓋部材１の外側の面に形成された係止部５と合致して係止可能とされている。これにより、図８に示すように、蓋部材１にて閉じられた食材トレー６を複数積み重ねた状態とすると、図９に示すように、食材トレー６に形成された被係止部７に蓋部材１に形成された係止部５が合致することとなり、食材トレー６と蓋部材１とを横方向に係止可能とされている。
【００４１】
ここで、本実施形態に係る蓋部材１は、リブ３（密着部）が一体成形された樹脂材から成り、具体的には、リブ３（密着部）が一体成形されたシリコン樹脂から成るものとされている。また、本実施形態に係る蓋部材１は、内側のリブ３（密着部）に加え、外側の係止部５も一体形成されており、容易に製造可能とされている。なお、蓋部材１は、シリコン樹脂に代えて他の樹脂を成形したものとしてもよく、樹脂とは異なる材料（ゴム材等）を成形したものであってもよい。
【００４２】
本実施形態によれば、食材トレー６の上部を塞いだ状態で収容凹部（ａ〜ｆ）の周縁部に沿って密着可能なリブ３（密着部）を具備し、当該リブ３が周縁部に密着することにより収容凹部（ａ〜ｆ）をそれぞれ画成しつつ密閉可能とされたので、食材トレー６に収容された複数種類の食材（調理済み食材）の臭い及び香りが混合してしまうのを防止することができる。これにより、蓋部材１を開けると、収容凹部（ａ〜ｆ）に収容されたそれぞれの食材固有の臭いや香りを醸し出すことができ、品質をより向上させることができる。
【００４３】
また、本実施形態によれば、収容凹部（ａ〜ｆ）のそれぞれの形状に倣った天面（２ａ〜２ｆ）を有するとともに、密着部は、当該天面（２ａ〜２ｆ）の外周縁に沿って突出したリブ３から成るので、収容凹部（ａ〜ｆ）の密閉性をより向上させることができ、食材トレー６に収容された複数種類の食材の臭い及び香りが混合してしまうのを確実に防止することができる。なお、収容凹部（ａ〜ｆ）に漬け物等の食材が収容されている場合、電子レンジ等で加熱する前に取り出す必要があるが、本実施形態によれば、加熱前後において、蓋部材１の取り外し及び取り付けを繰り返し行うことができる。
【００４４】
さらに、本実施形態に係るリブ３（密着部）は、収容凹部（ａ〜ｆ）の周縁部に密着した状態で当該収容凹部（ａ〜ｆ）の内周壁に沿って当接し得るので、蓋部材１にて食材トレー６の上部を塞ぐ際、リブ３が収容凹部（ａ〜ｆ）に嵌入される過程で、収容凹部（ａ〜ｆ）の周縁部に対する案内及び位置決めを行わせることができるとともに、柔軟なリブ３による収容凹部（ａ〜ｆ）の密閉をより安定して行わせることができる。
【００４５】
またさらに、本実施形態に係るリブ３は、収容凹部（ａ〜ｆ）の周縁部の高さに応じて突出して成るので、収容凹部（ａ〜ｆ）の面βの高さが異なる食材トレー６であっても良好且つ確実に収容凹部（ａ〜ｆ）の密閉を行わせることができる。また、食材トレー６を複数積み重ねた状態で当該食材トレー６に形成された被係止部７に対して係止可能な係止部５を有するので、複数積み重ねた食材トレー６が横ずれしてしまうのを抑制でき、保管時又は搬送時に安定して段積みさせることができる。
【００４６】
さらに、本実施形態に係る蓋部材１によれば、リブ３（密着部）が一体成形された樹脂材から成るので、繰り返しの使用により食材トレー６が僅かに変形等しても、その変形を樹脂材の弾力にて吸収することができ、リブ３（α）による密着を良好且つ確実に行わせることができ、収容凹部（ａ〜ｆ）の密閉性を安定して保持することができる。特に、本実施形態で用いられる蓋部材１の材料としての樹脂材は、シリコン樹脂から成るので、蓋部材１の成形を精度よく且つ良好に行わせることができるとともに、食材トレー６の蓋部材１としての安全性（健康面及び衛生面等含む）を維持することができる。
【００４７】
特に、本実施形態に係る蓋部材１によれば、食材トレー６を閉じることにより、収容凹部（ａ〜ｆ）のそれぞれを一括して密閉させることができるので、それぞれの収容凹部（ａ〜ｆ）を個別に密閉させるものに比べ、作業性を向上させることができる。また、既存の食材トレーの蓋部材１を本実施形態のものに交換すれば足りるため、本実施形態を適用する際のコストが嵩んでしまうのを抑制することができる。
【００４８】
次に、第２の実施形態に係る蓋部材について説明する。
第２の実施形態に係る蓋部材８は、第１の実施形態と同様、食材を収容する複数の収容凹部が形成された食材トレーの上部を塞ぐためのもので、図１０〜１２に示すように、食材トレー９（図１２参照）の収容凹部（ｇ〜ｋ）に対応した位置の天面（８ａ〜８ｅ）と、天面（８ａ〜８ｅ）の外周輪郭形状に沿って形成された突出部Ｗ１（密着部）と、蓋部材８の外周縁に沿って形成された嵌合部８ｆ及び外周シール部Ｈ１と、蓋部材８に形成された複数の排気孔８ｇとを有して構成されている。
【００４９】
本実施形態に適用される食材トレー９は、図１２に示すように、複数の収容凹部（ｇ〜ｋ）が形成された樹脂成形品から成るもので、それぞれの収容凹部（ｇ〜ｋ）には、調理済みの食材（常温状態、冷蔵状態又は冷凍状態の調理済み食材（総菜等））が種類毎に分けられて収容可能とされている。それぞれの収容凹部（ｇ〜ｋ）は、上方に開放されて任意の食材を収容可能な凹形状から成り、平面視で互いに異なる形状及び容量とされている。なお、収容凹部（ｇ〜ｋ）は、何れか或いは全てが同一形状及び容量であってもよい。
【００５０】
また、食材トレー９は、収容凹部（ｇ〜ｋ）を画成するための突出部Ｗ２が一体形成されているとともに、外周縁には、蓋部材８の嵌合部８ｆと対応する被嵌合部９ａ及び外周シール部Ｈ２が形成されている。被嵌合部９ａは、図１３に示すように、蓋部材８が食材トレー９の上部を塞いだ状態において、蓋部材８の嵌合部８ｆと合致して嵌合し得る溝形状から成るものであり、嵌合部８ｆ及び被嵌合部９ａが嵌合して状態において、外周シール部Ｈ２が蓋部材８の外周シール部Ｈ１と密着してシールし得るようになっている。
【００５１】
本実施形態に係る蓋部材８は、食材トレー９の上部を塞いだ状態で収容凹部（ｇ〜ｋ）の周縁に沿って形成された突出部Ｗ２に対応した位置にて突出形成された突出部Ｗ１を具備し、当該突出部Ｗ１の突端面Ｗ１ａ（密着部）が食材トレー９の突出部Ｗ２における突端面Ｗ２ａに密着することにより収容凹部（ｇ〜ｋ）を互いに画成可能とされている。具体的には、蓋部材８は、図１１に示すように、収容凹部（ｇ〜ｋ）のそれぞれの形状に倣った天面（８ａ〜８ｅ）を有するとともに、密着部としての突出部Ｗ１の突端面Ｗ１ａは、当該天面（８ａ〜８ｅ）の外周縁に沿って突出した突出部Ｗ１の頂面から成り、図１４に示すように、蓋部材８が食材トレー９の上部を塞いだ状態において、蓋部材８の突出部Ｗ１の突端面Ｗ１ａ（密着部）が食材トレー９の突出部Ｗ２の突端面Ｗ２ａに密着し得るようになっている。
【００５２】
すなわち、食材トレー９の上部を蓋部材８にて覆って閉じると、収容凹部ｇと天面８ａ、収容凹部ｈと天面８ｂ、収容凹部ｉと天面８ｃ、収容凹部ｊと天面８ｄ及び収容凹部ｋと天面８ｅとが対向するとともに、突端面Ｗ１ａが収容凹部（ｇ〜ｋ）の周縁部の突端面Ｗ２ａに密着して、収容凹部（ｇ〜ｋ）を画成（区分け）し得るのである。しかして、蓋部材８にて食材トレー９の上部が塞がれた状態において、収容凹部（ｇ〜ｋ）と対向する天面（ｇ〜ｋ）との間に、それぞれ種類が異なる食材が収容されることとなる。
【００５３】
なお、本実施形態に係る蓋部材８は、既述したように、その外周縁に沿って外周シール部Ｈ１が一体形成されており、食材トレー９の上部を塞いだ状態において、食材トレー９の外周縁をシールし得るので、蓋部材８を食材トレー９の上部に取り付けると、突端面Ｗ１ａの突端面Ｗ２ａに対する密着による収容凹部（ｇ〜ｋ）の画成に加えて、食材トレー９の外周縁のシールを行って画成状態を維持することができる。
【００５４】
ここで、本実施形態に係る蓋部材８においては、食材トレー９の上部を塞いだ状態で収容凹部（ｇ〜ｋ）のそれぞれに対応する位置には、当該収容凹部（ｇ〜ｋ）内で生じた蒸気を外部に排出可能な排気孔８ｇが形成されている。かかる排気孔８ｇは、画成された収容凹部（ｇ〜ｋ）のそれぞれと外部とを連通する貫通孔から成り、例えば電子レンジ等により食材を加熱する際、各収容凹部（ｇ〜ｋ）の食材から生じた湯気等の蒸気（加熱により食材から生じる種々の気体を含む）を外部に排出し得るようになっている。なお、本実施形態に係る排気孔８ｇは、収容凹部（ｇ〜ｋ）に対応する位置に一つずつ形成されているが、収容凹部（ｇ〜ｋ）の大きさや収容する食材に応じて複数形成するようにしてもよい。
【００５５】
さらに、本実施形態に係る蓋部材８は、その表面（天面８ａ〜８ｅの反対の面）に粘着シート１０（封止部材）が取り付けられている。この粘着シート１０は、排気孔８ｇを閉止するともに任意に取り外して当該排気孔８ｇを開放可能なフィルム状部材から成り、接着剤等により蓋部材８の表面に粘着されている。すなわち、粘着シート１０は、接着剤等の粘着力で蓋部材８の表面に取り付けられており、蓋部材８の表面から剥がして取り外すことにより、図１５に示すように、排気孔８ｇの閉止を解いて外部に開放可能とされているのである。
【００５６】
また、本実施形態に係る粘着シート１０は、複数の排気孔８ｇ（本実施形態においては蓋部材８に形成された全ての排気孔８ｇ）に亘って取り付けられ、それぞれの排気孔８ｇを閉止するとともに、食材の加熱時等、任意に取り外されることにより一括して複数の排気孔８ｇ（本実施形態においては全ての排気孔８ｇ）を開放可能とされている。かかる粘着シート１０には、蓋部材８から剥がす際に指で摘まむことができる摘まみ部を設けるようにするのが好ましい。
【００５７】
しかして、運搬時や陳列時においては、蓋部材８の表面に粘着シート１０が取り付けられており、排気孔８ｇを介して収容凹部（ｇ〜ｋ）から食材が漏れてしまうのを防止することができるとともに、食材の加熱時においては、粘着シート１０を蓋部材８の表面から剥がして取り外し、食材から生じた蒸気を外部に排出させることができる。したがって、生じた蒸気にて収容凹部（ｇ〜ｋ）内の圧力が過度に上昇してしまうのを回避することができ、食材から生じた蒸気の圧力で蓋部材８が食材トレー９から不用意に外れてしまうのを防止できる。
【００５８】
ここで、本実施形態に係る蓋部材８は、突出部Ｗ１（密着部としての突端面Ｗ１ａ含む）が一体成形された樹脂材から成り、具体的には、突出部Ｗ１が一体成形されたポリエチレン（ＰＥ）、ポリプロピレン（ＰＰ）又はポリスチレン（ＰＳ）等の使い捨て可能な樹脂（熱可塑性樹脂等の汎用プラスチック）から成るものとされている。なお、蓋部材８の材質は、汎用プラスチックの他、シリコン樹脂等の熱硬化性樹脂や発泡樹脂等であってもよい。
【００５９】
本実施形態によれば、食材トレー９の上部を塞いだ状態で収容凹部（ｇ〜ｋ）の周縁部に沿って密着可能な密着部（突端面Ｗ１ａ）を具備し、当該密着部（突端面Ｗ１ａ）が突端面Ｗ２ａに密着することにより収容凹部（ｇ〜ｋ）をそれぞれ画成可能とされたので、食材トレー９に収容された複数種類の食材の臭い及び香りが混合してしまうのを防止することができる。さらに、本実施形態においては、蓋部材８における突出部Ｗ１の突端面Ｗ１ａが食材トレー９における突出部Ｗ２の突端面Ｗ２ａと密着して収容凹部（ｇ〜ｋ）を画成しているが、図１６に示すように、蓋部材８が略平面状の天面８ｈを有するものとされ、食材トレー９の突端面Ｗ２ａを当該天面８ｈの一部に密着させることにより収容凹部（ｇ〜ｋ）を画成するもの、或いは図１７に示すように、蓋部材８の突出部Ｗ１の突端側にリブＷ１ｂを形成し、当該リブＷ１ｂを食材トレー９の突出部Ｗ２に密着させて収容凹部（ｇ〜ｋ）を画成するようにしてもよい。
【００６０】
またさらに、蓋部材８は、可撓性樹脂又はフィルム状に成形された樹脂から成るとともに、図１８に示すように、収容凹部（ｇ〜ｋ）の周縁部の高さ（突出部Ｗ２の突端面Ｗ２ａの高さ）に応じて変形し、密着部（同図において、蓋部材８の天面の一部）を密着させることにより収容凹部（ｇ〜ｋ）を画成するものとしてもよい。この場合、収容凹部（ｇ〜ｋ）の周縁部と蓋部材８の密着部（蓋部材８の天面の一部）とを確実に密着させることができる。また、この場合の蓋部材８は、可撓性樹脂又はフィルム状に成形された樹脂から成るものとすれば、収容凹部（ｇ〜ｋ）の周縁部の高さに応じて柔軟に変形でき、収容凹部（ｇ〜ｋ）を確実に画成することができる。なお、蓋部材８と突出部Ｗ２の突端面Ｗ２ａとは、接着剤や熱溶着にて密着状態を維持させることができる。
【００６１】
また、本実施形態によれば、食材トレー９の上部を塞いだ状態で収容凹部（ｇ〜ｋ）のそれぞれに対応する位置には、当該収容凹部（ｇ〜ｋ）内で生じた蒸気を外部に排出可能な排気孔８ｇが形成されたので、収容凹部（ｇ〜ｋ）に収容された食材を加熱する際に食材から生じる蒸気を排気孔８ｇを介して外部に排出させることで、収容凹部（ｇ〜ｋ）内の圧力が過度に上昇してしまうのを回避することができる。また、排気孔８ｇから蒸気を排出することによって、蒸気に混合された複数の食材（総菜）の臭いや香りも外部に放出し、食材（総菜）が有する臭いや香りが混合して味覚が食材トレー内で一体化してしまうのを防止することができる。
【００６２】
さらに、排気孔８ｇを閉止するともに任意に取り外して当該排気孔８ｇを開放可能な粘着シート１０（封止部材）を有するので、食材の加熱前は排気孔８ｇを閉止して食材が外部に漏れてしまうのを確実に防止するとともに、食材の加熱時は排気孔８ｇを開放して収容凹部（ｇ〜ｋ）内の蒸気を円滑に排出させることができる。なお、粘着シート１０は、フィルム状の部材から成るものとされているが、排気孔８ｇを閉止し得るものであれば、他の材質のもの等であってもよい。
【００６３】
またさらに、本実施形態に係る粘着シート１０（封止部材）は、複数の排気孔８ｇに亘って取り付けられ、それぞれの排気孔８ｇを閉止するとともに、任意に取り外されることにより一括して複数の排気孔８ｇを開放可能とされたので、食材の加熱時における排気孔８ｇの開放作業を容易に行わせることができる。なお、それぞれの排気孔８ｇに対して粘着シート１０（封止部材）を取り付け、食材の加熱時に各粘着シート１０を取り外すようにしてもよい。
【００６４】
また、本実施形態に係る蓋部材８を構成する樹脂材は、使い捨て可能な樹脂から成るので、収容凹部（ｇ〜ｋ）の食材を食べた後、蓋部材８をそのまま廃棄することができる。なお、本実施形態に係る食材トレー９は、蓋部材８と同様、使い捨て可能な樹脂から成るものとされており、収容凹部（ｇ〜ｋ）の食材を食べた後、蓋部材８及び食材トレー９を廃棄することができるようになっている。
【００６５】
またさらに、本実施形態に適用される蓋部材８として、図１６に示すように、その略平面状の天面８ｆの一部が収容凹部（ｇ〜ｋ）を囲む突出部Ｗ２の突端面Ｗ２ａと密着可能とすれば、蓋部材８の天面８ｈ側に凹凸形状が不要となり、収容凹部（ｇ〜ｋ）を互いに画成し得る蓋部材８を簡易且つ精度よく成形することができる。また、本実施形態に適用される蓋部材８として、図１８に示すように、収容凹部（ｇ〜ｋ）の周縁部の高さに応じて変形して密着可能とされるようにすれば、製造時の誤差や使用時の変形等が生じていても、収容凹部（ｇ〜ｋ）の周縁部と蓋部材８の密着部（同図においては天面８ｇの一部）とを確実に密着させることができる。その場合、蓋部材８は、可撓性樹脂又はフィルム状に成形された樹脂から成るようにすれば、収容凹部（ｇ〜ｋ）の周縁部の高さに応じて蓋部材８を柔軟に変形でき、収容凹部（ｇ〜ｋ）の周縁部に蓋部材８の所定部位を確実に密着させて当該収容凹部（ｇ〜ｋ）を確実に画成することができる。
【００６６】
以上、本実施形態について説明したが、本発明はこれに限定されず、例えば第１の実施形態に係る密着部としてのリブ３は、収容凹部（ａ〜ｆ）の周縁部全域に密着するものに限らず、複数の収容凹部（ａ〜ｆ）をそれぞれ密着可能であれば足りる。また、適用される食材トレー６は、その収容凹部（ａ〜ｆ）の数や形状が異なるものであってもよい。
【産業上の利用可能性】
【００６７】
食材トレーの上部を塞いだ状態で収容凹部の周縁部に沿って密着可能な密着部を具備し、当該密着部が周縁部に密着することにより収容凹部をそれぞれ画成可能とされた蓋部材であれば、外観形状が異なるもの或いは他の機能が付加されたもの等にも適用することができる。
【符号の説明】
【００６８】
１  蓋部材
２ａ〜２ｆ  天面
３  リブ（密着部）
４  外周シール部
５  係止部
６  食材トレー
６ａ  壁部
７  被係止部
８  蓋部材
８ａ〜８ｅ  天面
８ｆ  嵌合部
８ｇ  排気孔
９  食材トレー
９ａ  被嵌合部
１０  粘着シート（封止部材）
α  面
β  面
ａ〜ｆ  収容凹部
ｇ〜ｋ  収容凹部
Ｈ１  外周シール部
Ｈ２  外周シール部
Ｗ１  突出部
Ｗ１ａ  突端面（密着部）
Ｗ２  突出部
Ｗ２ａ  突端面
【図１】
2019104544.tif 000003
【図２】
2019104544.tif 000004
【図３】
2019104544.tif 000005
【図４】
2019104544.tif 000006
【図５】
2019104544.tif 000007
【図６】
2019104544.tif 000008
【図７】
2019104544.tif 000009
【図８】
2019104544.tif 000010
【図９】
2019104544.tif 000011
【図１０】
2019104544.tif 000012
【図１１】
2019104544.tif 000013
【図１２】
2019104544.tif 000014
【図１３】
2019104544.tif 000015
【図１４】
2019104544.tif 000016
【図１５】
2019104544.tif 000017
【図１６】
2019104544.tif 000018
【図１７】
2019104544.tif 000019
【図１８】
2019104544.tif 000020